(57)【特許請求の範囲】
【請求項１】
筐体の前面を構成するフロントパネルに配置される運転状態を表示する表示部と、前記表示部の運転状態の表示を制御する制御手段とを備えた空気調和機において、
前記表示部は、前記フロントパネルに配置される長方形状の光表示部と、該光表示部の筐体の内側に対向して配置される光反射部と、前記光表示部の長手方向の一端側で、かつ、該光表示部と光反射板との間に配置される発光体とを含んで構成され、
前記光表示部は、透明もしくは半透明に形成され、
前記光反射部は、前記発光体の光を前記光表示部全体にわたって拡散または反射させる反射溝または反射板を備え、
前記発光体は、２または３色の光源を備えて構成され、
前記制御手段は、冷暖房の運転モードに対応して前記発光体を2または３色の光源の単独の点灯、あるいは、２または３色の光源の組合わ点灯を行うことを特徴とする空気調和機。
【請求項２】
請求項１記載の空気調和機において、
前記表示部は、一端側に光表示部が形成され、この光表示部と対向する他端側に前記光反射部が形成されるクリア層を備えていることを特徴とする空気調和機。
【請求項３】
請求項１または２記載の空気調和機において、
前記制御手段は、冷暖房運転モードの強弱運転に対応して前記発光体の色調の強さを前記光表示部の長手方向の一方側に強く、他方側に行くに従って弱めて表示とすること
を特徴とする空気調和機。
【請求項４】
請求項１から３記載の何れかの空気調和機において、
前記光表示部と前記光反射部との距離は、前記光表示部の長手方向の前記発光体側より他方が側が狭く形成されている
ことを特徴とする空気調和機。
【請求項５】
請求項１から４記載の何れかの空気調和機において、
前記光表示部に反射溝を形成したことを特徴とする空気調和機。
【請求項６】
請求項１から５記載の何れかの空気調和機において、
前記発光体は、発光色の異なる３つのＬＥＤからなり、３つのＬＥＤはそれぞれ単独に、かつ組み合わされて発光することを特徴とする空気調和機。
【請求項７】
請求項１から５記載の何れかの空気調和機において、
前記発光体は、異なる３色の光を発光する３色ＬＥＤからなり、前記３色ＬＥＤは単独の色を有する光、あるいは混色させた色の光を発光することを特徴とする空気調和機。
【発明の詳細な説明】
【０００１】
【発明の属する技術分野】
本発明は、空気調和機に係わり、特に運転状態の表示部を有する空気調和機に関するものである。
【０００２】
【従来の技術】
従来の空気調和機としては、横長の筐体内部にエアーフィルタと熱交換器と貫流ファンを備え、筐体は後部を構成する樹脂成形された筐体本体及び前部を構成する樹脂成形された化粧枠を有し、この化粧枠は化粧枠本体及びこの化粧枠本体は上面に取り付けられた前面にグリル形状の吸込口を有するプロントパネルを有し、前記化粧枠本体は上面にグリル形状の吸込口を有すると共に下面に吹出口を有する枠状に形成されている。前記フロントパネルもしくは前記化粧枠には運転状態表示をする操作器が設けられている。操作器の表示部には複数の光源が配置されており、光源の発光数によりパワーの表示がなされていた。
【０００３】
特開２０００−１８６９２号公報には、通常稼働では接続されている第一の装置部分である室内機と第二の装置部分である室外機との通信を故意に遮断した状態で使用することにより通信異常を検出させ、通信異常検出下で通常の情報提供部への情報提供指示入力があった場合には自動的にデモンストレーション表示モードと判断して移行し、情報提供部に装置機能を表示するデモンストレーションを開始し、デモンストレーションモードにおいて表示光量と表示色に変化をつけ、視認性の高いモード，視認性を適度として消費電力を抑えるモード，表示色を工夫した表示画面を有する空気調和機が記載されている。
【０００４】
また、特開平１１−１２８１１３４号公報には、省エネモードでは、積算時間Ｈが時間ｈ１に未満の間、フィルタ・エコランプの緑色の発色素子が点灯し、フィルタサインは、積算時間が時間ｈ１以上となったとき又は、エアコンが省エネモードに設定されているときに積算時間が時間ｈ２以上となったときに赤色の発色素子が点灯し、これにより、省エネモードでは、積算時間が時間ｈ２未満の間は、フィルタ・エコランプが緑色に発色し、積算時間が時間ｈ２を越えると黄色に変わり、さらに、積算時間が時間ｈ１以上となると赤色となり、省エネモードでの運転とフィルタの交換時期を表示する空気調和機が記載されている。
【０００５】
【発明が解決しようとする課題】
従来の技術では運転や風速の強弱を表すには複数のＬＥＤが必要であり、強弱の表現も段階的な表示でしか表示していなかった。さらに、それを運転モード別に表示しようとするとモードごとに別々のエリアを設ける必要があるが、表示部を設けられる範囲は空気調和機の構造上狭い範囲に限られてしまうので、運転モード別の表示をする場合、モード数が限られてしまうということがあった。
【０００６】
本発明は、かかる点に鑑みて運転モード別表示を同一表示部で操作指示の状態を視覚的に明瞭に判別にできるようにした空気調和機およびこれに使用する表示パネルを提供することを目的とする。
【０００７】
また、本発明は限られた発光色数でありながら、混色を用いることによって発光色数以上の運転モードを表示できるようにする。
【０００８】
【課題を解決するための手段】
本発明は、表面部にフロントパネルが設けられ、かつ表面部の一部をカバーして操作状況を示す表示部が設けられる空気調和機において、前記光表示部は、表面が長方形状に形成され、該光表示部に対向して光反射部が設けられ、該光反射部で反射される２または３発光色の発光体を有し、冷房暖房に応じ、かつそれらの強弱の操作指示に応じて発光体の光の色調および強さが制御され、これによって光表示部に、２または３発光色およびこれらの混色によって区別した運転モードを色調が一方側に強く、他方側に行くに従って弱めた長方形状表示する空気調和機を提供する。
【０００９】
本発明は、表面部にフロントパネルが設けられ、かつ表面部の一部をカバーして操作状況を示す表示パネルが設けられる空気調和機において、該表示パネルは、器体と、該器体の表面に設けられる長方形状の光表示部と、２または３発光色の発光体と、および光表示部に対向して設けられる光反射部とから構成されて、表示パネルもしくは器体は表示部もしくはフロントパネルから取り外し自在とされ、冷房暖房に応じ、かつそれらの強弱の操作指示に応じて発光体の光の色調および強さが制御され、これによって光表示部に、２または３発光色およびこれらの混色によって区別した運転モードを色調が一方側に強く、他方側に行くに従って弱めた長方形状表示する空気調和機を提供する。
【００１０】
本発明は、表面部にフロントパネルが設けられ、かつ表面部の一部に操作状況を示す光表示部が設けられる空気調和機において、前記フロントパネルは、観音開きされる左右のフロントパネルから構成され、前記光表示部は、左右のフロントパネルの間で長手方向に対する縦方向に、もしくは境界線の延長上に配設され、前記光表示部は、表面が長方形状に形成され、該光表示部に対向して光反射部が設けられ、該光反射部で反射される２または３発光色の発光体を有する空気調和機を提供する。
【００１１】
本発明は、表面部にフロントパネルが設けられ、かつ表面部の一部に操作状況を示す表示パネルが設けられる空気調和機において、前記フロントパネルは、観音開きされる左右のフロントパネルから構成され、該表示パネルは、器体と、該器体の表面に設けられる長方形状の光表示部と、２または３発光色の発光体と、および光表示部に対向して設けられる光反射部とから構成されて左右のフロントパネルの間で長手方向に対する縦方向に、もしくは境界線の延長線上に配設される空気調和機を提供する。
【００１２】
前記発光体は、発光色の異なる３つのＬＥＤからなり、３つのＬＥＤはそれぞれ単独に、かつ組み合わされて発光するようにすることができる。
【００１３】
前記光表示部の表面は、前記フロントパネルの表面と面一曲面を形成するように曲面形状とされる。
【００１４】
前記発光体は、異なる３色の光を発光する３色ＬＥＤからなり、前記３色ＬＥＤは単独の色を有する光、あるいは混色させた色の光を発光するようにすることができる。
【００１５】
本発明は、表面部にフロントパネルが設けられる空気調和機の一部をカバーして設けられる表示パネルであって、器体と、該器体の表面に設けられる長方形状の光表示部と、２または３発光色の発光体と、および光表示部に対向して設けられる光反射部とから構成され、冷房暖房に応じ、かつそれらの強弱の操作指示に応じて発光体の光の色調および強さが制御され、これによって光表示部に、２または３発光色およびこれらの混色によって区別した運転モードを色調が一方側に強く、他方側に行くに従って弱めた長方形状表示される表示パネルを提供する。
【００１６】
前記光反射部は、空気調和機の表面部に形成される光反射体収納ケースに配設される。
【００１７】
前記発光体は、それぞれ単独に、かつ組み合わされて発光する発光色の異なる２または３つのＬＥＤからなり、その光源は１つとすることができる。
【００１８】
本発明は、空気調和機の表面部に操作状況を光表示する光表示方法において、冷房暖房に応じ、かつそれらの強弱の操作指示に応じて発光体の光の色調および強さが制御され、これによって光表示部に、色調は一方側に強く、他方側に行くに従って弱めた長方形状表示を行い、光源に発光色の異なる２または３つの発光体を使用することによって発光体をそれぞれ単独に、かつ組み合わせて発光せしめ、光の色（波長）と４つから７つまでの運転モードとを関連づけて光表示する光表示方法を提供する。
【００１９】
【発明の実施の形態】
以下、本発明に係る実施の形態を、図面に基づいて説明する。
【００２０】
先ず、図１から図３を参照して、本実施の形態に係る空気調和機本体の構造について説明する。図１は本実施の形態に係る空気調和機本体の斜視図、図２はフロントパネルの開閉状態を示す斜視図、図３は空気調和機本体の前面に設けたフロントパネルを開いた状態の斜視図である。
【００２１】
図１において、１００で示すのは空気調和機本体であり、図示しない冷媒配管等により図示しない室外機と接続され、図示しない別体のリモコン等により、運転モードを指示することにより、冷房運転や暖房運転、あるいは除湿運転等を行い、室内の空気調和を行うようになっている。空気調和機本体１００は、運転状態を表示する表示部１０と、図示しないリモコン等から指示された運転モードを受信する受信部３００と、受信した運転モード信号を、空気調和機本体１００の内部に配置された図示しない電気品ボックスに設けられたマイコンを介して表示部１０に伝達する配線４００と、本体支持枠を形成するシャーシ２０と、このシャーシ２０の前面に設けられた化粧枠２１と、この化粧枠２１の前面に設けられたフロントパネル５０とから構成されている。
【００２２】
フロントパネル５０は、左右に分割して形成された左フロントパネル１と右フロントパネル２とから構成され、左フロントパネル１と右フロントパネル２は、図２で示すように、それぞれ前面パネル部１ａ、２ａと、上面パネル部１ｂ、２ｂとで形成されており、前面パネル部１ａ、２ａは化粧枠２１の前面、上面パネル部１ｂ、２ｂは化粧枠２１の上面に取り付けられている。また、図３で示すように、左フロントパネル１および右フロントパネル２は、化粧枠２１の左右方向の両端に設けられた左ヒンジ部３０と右ヒンジ部３１とによって回転可能に支持されている。そして、左フロントパネル１は左ヒンジ部３０、右フロントパネル２は右ヒンジ部３１の中心軸を支点にして水平に回転、すなわち、左フロントパネル１と右フロントパネル２は、観音開きの状態で開閉するようになっている。
【００２３】
以上のような構成とすることにより、フロントパネル５０を上方に持ち上げることなく開閉することができるので、空気調和機本体１００の内部清掃を容易に行うことができる。
【００２４】
図２および図３で示すように、前面パネル１ａ、２ａはそれぞれ前面吸込部１ｃ、２ｃを備え、上面パネル１ｂ、２ｂはそれぞれ上面吸込部１ｄ、２ｄを備えている。そして、左フロントパネル１と右フロントパネル２は、開いた状態でそれぞれ左ヒンジ部３０および右ヒンジ部３１から取り外すことができる。また、図１で示すように、左フロントパネル１と右フロントパネル２の境界部３には表示部１０が設けられている。
【００２５】
以上のような構成とすることにより、フロントパネル５０（左フロントパネル１および右フロントパネル２）の大きさが従来よりも小さくなるので、フロントパネル５０（左フロントパネル１および右フロントパネル２）の取り外しが容易に行うことができ、かつフロントパネルの清掃性を向上させることができる。
【００２６】
このような構成からなる空気調和機本体１００は、内部に図示しない熱交換器や貫流ファン等を備えており、図示しないリモコン等により運転モードが指示されると、受信部３００で運転モード信号を受信し、受信した運転モード信号は空気調和機本体１００の内部に配置された図示しない電気品ボックスに設けられたマイコンに伝達される。空気調和機本体１００は、マイコンに伝達された運転モード信号に基づき、左フロントパネル１および右フロントパネル２に形成された前面吸込部１ｃ、２ｃおよび上面吸込部１ｄ、２ｄから空気を吸い込み、フィルター６０を通して空気調和機本体１００に導入し、この導入した空気を熱交換器を通して冷却あるいは加熱、除湿等を行い、熱交換器を通した空気を前記貫流ファンにより、空気調和機本体１００の下方へ導き、吹出部２００から空気を吹き出して室内の空気調和を行うようになっている。同時にマイコンに伝達された運転モード信号は、配線４００を介して表示部１０に伝達され、伝達された運転モード信号に対応して空気調和機の運転状態（運転モード）が表示部１０で表示されるようになっている。
【００２７】
フロントパネル５０には、図３で示すように、表示部１０が収まるような収容部３２が形成され、この収容部３２を形成するため、左フロントパネル１および右フロントパネル２のつき合わせ面は、その一部が切り欠かれた形状となっている。表示部１０は、空気調和機の運転状態（運転モード）を表示する表示パネル４と、この表示パネル４が取り付けられるパネル基台２８と、内部に発光部１２０（図１０参照）を有する基板ケース１１とから構成されている。
【００２８】
パネル基台２８は、左フロントパネル１と右フロントパネル２の境界部３に設けられ、右フロントパネル２と一体に形成されている。表示パネル４は、収容部３２に収容されるようにパネル基台２８に取り付けられ、右フロントパネル２の開閉動作に伴ってパネル基台２８と共に、化粧枠２１の前面から分離され、右フロントパネル２とともに移動するようになっている。そして、表示パネル４は、右フロントパネル２を開いた状態で、右フロントパネル２から取り外せるようになっている。なお、図３においては、パネル基台２８を右フロントパネル２と一体に形成しているが、パネル基台２８を左フロントパネル１と一体に形成し、このパネル基台２８に取り付けられる表示パネル４を、左フロントパネル１の開閉動作に伴って移動させるようにしても良い。
【００２９】
以上のように、本実施の形態では、左フロントパネル２と右フロントパネル２との境界部３に収容部３２を形成し、この収容部３２に表示パネル４が収容されるので、左フロントパネル１と右フロントパネル２との境界部３の合わせ目で生じるズレを目立たなくさせることができる。また、フロントパネル５０は、左右２分割され、かつ着脱可能に取り付けられているので、フロントパネル５０の清掃性を向上させることができる。さらに、表示パネル４は、図４で後述するように、フロントパネル５０に着脱可能に取り付けられているので、フロントパネル５０の清掃時に表示パネル４の傷付きを防止することができる。
【００３０】
図３で示すように、基板ケース１１は、化粧枠２１の下方に取り付けられ、左フロントパネル１および右フロントパネル２とが閉じた状態で、パネル基台２８の下方に位置するようになっている。また、左フロントパネル１および右フロントパネル２とが閉じた状態では、パネル基台２８に取り付けられた表示パネル４が、基板ケース１１の前面に位置するようになっている。
【００３１】
以上のように、本実施の形態では、基板ケース１１が化粧枠２１の下方に設けられているので、例えば、左フロントパネル１および右フロントパネル２、フィルター６０を取り外し、空気調和機本体の内部に配置された熱交換器を洗浄剤等を用いて清掃するような場合、基板ケース１１に洗浄剤等が付着するのを軽減することができる。
【００３２】
次に、図１から図３を参照して、表示パネル４が取り付けられたフロントパネル５０（左フロントパネル１および右フロントパネル２）の開閉動作について説明する。
【００３３】
フロントパネル５０は、上述したように、左右に分割された左フロントパネル１と右フロントパネル２とから構成され、左フロントパネル１は樹脂成形により一体に形成された前面パネル部１ａと上面パネル部１ｂ、右フロントパネル２は樹脂成形により一体に形成された前面パネル部２ａと上面パネル部２ｂとで、それぞれ構成されている。また、表示パネル４は、右フロントパネル２の前面パネル部２ａに取り付けられており、左フロントパネル１および右フロントパネル２が閉じられた状態で、左フロントパネル１および右フロントパネル２のつき合わせ面（境界部３）に収容されるようになっている。
【００３４】
以上のような構成からなる左フロントパネル１と右フロントパネル２は、前面パネル部１ａ、２ａが化粧カバー２１の前面に位置し、上面パネル部１ｂ、２ｂが化粧カバー２１の上面に形成されたパネル収容部７０ａ、７０ｂに収容されるようになっている。そして、左フロントパネル１および右フロントパネル２は、図１で示す状態から図２で示すような開閉動作により、図３で示すような観音開きの状態で開くようになっている。具体的に、左フロントパネル１および右フロントパネル２は、前面パネル部１ａ、２ａが左ヒンジ部３０および右ヒンジ部３１により開閉するとともに、上面パネル部１ｂ、２ｂは、その分割部に位置し、上面パネル部１ｂ、２ｂのつき合わせ面を合わせると共に、上面パネル部１ｂ、２ｂの動作を案内する略三角形状に形成された案内部材７１を備え、上面パネル部１ｂ、２ｂは、案内部材７１に沿って開閉させることで、前面パネル部１ａと上面パネル部１ｂとで形成された左フロントパネル１と、前面パネル部２ａと上面パネル部２ｂとで形成された右フロントパネル２とが、観音開きの状態で開閉するようになっている。このため、左フロントパネル１および右フロントパネル２の開閉動作の際に、上面パネル部２ａ、２ｂが円弧状の軌跡を描きながら開閉動作を行うので、上面パネル部２ａ、２ｂの軌跡を逃がすために、案内部材７１は略三角形に形成されている。ここで、本実施の形態では、案内部材７１が略三角形に形成されているが、要するに、案内部材７１の形状が、左ヒンジ部３０および右ヒンジ部３１の回転軸を中心として、上面パネル部１ｂ、２ｂの前面部の最大長さの回転軌跡を逃がす形状に形成されていれば良いものである。そして、左フロントパネル１および右フロントパネル２は、観音開きの状態で所定の角度まで回転すると、左ヒンジ部３０および右ヒンジ部３１から取り外せるようになっている。
【００３５】
以上のように、本実施の形態では、フロントパネル５０を左右２分割にしているので、フロントパネル５０（左フロントパネル１および右フロントパネル２）の大きさを、従来のフロントパネルよりも小さくすることができ、空気調和機本体１００からの取り外しが容易に行うことができるとともに、フロントパネル５０（左フロントパネル１および右フロントパネル２）の清掃性を向上させることができる。さらに、案内部材７１を設けることにより、左フロントパネル１および右フロントパネル２をスムーズに開閉することができる。
【００３６】
次に、図４および図５を参照して、表示パネル４の取付構造および取付状態について説明する。図４は表示パネル４の取付状態の一例を示す斜視図、図５は表示パネル４の取付状態の一例を示す横断面図である。
【００３７】
図４において、右フロントパネル１の開放端側には、表示パネル４が取り付けられるパネル基体２８が右フロントパネル１と一体に、あるいはネジ止めや嵌合で一体的に形成されている。パネル基台２８は、表示パネル４が着脱可能に取り付けられる平面部４５と、この平面部４５の背面側、すなわち、化粧枠２１側に張り出して形成され、背面内壁に反射板１８が設けられた反射板収納ケース４１とから構成される。平面部４５は、前面部の上下端に、表示パネル４を取り付けるための嵌め込み穴４２が形成され、図５で示すように、この嵌め込み穴４２に表示パネル４の背面側に形成されたフック４３が嵌合することにより、表示パネル４が右フロントパネル２に取り付けられる。なお、図５で示すように、本実施の形態では、表示パネル４は、フロントパネル５０（左フロントパネル２および右フロントパネル１）の表面と同一曲面を形成するような曲面形状となっている。このような構成とすることにより、表示パネル４がフロントパネル５０と馴染むので、空気調和機本体１００の意匠性を向上させることができる。また、表示パネル４は、フロントパネル５０（左フロントパネル２および右フロントパネル１）の表面と同一曲面に形成されているので、汚れた時に布巾等で容易に掃除できる効果も有している。
【００３８】
また、図４で示すように、平面部４５には、光表示部９が位置する部分に、矩形状の穴４６が形成されており、基板ケース１１内に設けられた発光部１２０（図１０参照）から発光した光は、反射板１８で反射した後、前記穴４６を通過して反射溝１９で反射することにより、光表示部９に光が表示されるようになっている。また、平面部４５には、楕円形状の穴６１、６２が形成されており、発光部１２０（図１０参照）で発光した光が、穴６１、６２を通過してランプレンズ７、８で表示されるようになっている。
【００３９】
さらに、図４で示すように、反射板収納ケース４１の底面には、矩形状の穴４７が形成されており、発光部１２０（図１０参照）から発光した光は、穴４７を通過して反射板１８で反射されるようになっている。なお、発光部１２の構成については、後述する。
【００４０】
図４および図５で示すように、収納ケース４１の下方には、左フロントパネル１および右フロントパネル２が閉じられた状態で、化粧枠２１の前面に取り付けられた基板ケース１１が収容される基板ケース収容部４８が形成されており、穴４７は、この基板ケース収容部４８に基板ケース１１が収納された時に、基板ケース１１の内部に設けられた発光部１２０から発光した光が出てくる位置に形成されている。また、穴６１、６２は、基板ケース収容部４８に基板ケース１１が収納された時に、基板ケース１１の内部に設けられた発光部１２０から発光した光が、ランプレンズ７、８に到達する位置に形成されている。
【００４１】
以上のような構成とすることにより、穴４７と発光部１２０との間隔、および穴６１、６２と発光部１２０との間隔が狭くなり、光が外部に漏れることを軽減することができるので、発光部１２０から発光した光を、光表示部９およびランプレンズ７、８に、それぞれ効率良く光を送ることが可能となる。なお、図４においては、パネル基台２８および反射板収納ケース４１を右フロントパネル２に配置しているが、パネル基台２８および背面内壁に反射板１８が設けられた反射板収納ケース４１を左フロントパネル１に配置するようにしてもよい。
【００４２】
次に、図６から図１０を参照して、表示部１０の構成について説明する。図６は、表示部１０の斜視図、図７は表示部１０の正面図、図８は表示部１０の正面断面図、図９は化粧枠２１に取り付けられた基板ケース１１の横断面図、図１０は表示部１０の横断面図である。
【００４３】
図６および図７において、表示部１０は、表示パネル４と、内部に発光部１２０を有する基板ケース１１と、発光体から発せられた光を反射させる反射板１８とを備えている。なお、図６では省略しているが、表示部１０は、反射板１８を収納する反射板収納ケース４１を備えている（図４参照）。表示パネル４は、透明または半透明な材料で形成された器体４０と、この器体４０とは異なる材料で形成されたパネル背面板７５とを備え、パネル背面板７５を器体４０の背面に取り付けることにより、表示パネル４が形成されている。また、表示パネル４は、器体４０の表面部に長方形状に形成された光表示部９と、この光表示部９の下方に形成されたランプレンズ７、８とを備えている。基板ケース１１は、化粧枠２１の正面下方に位置し、反射板１８の下方に位置するように化粧枠２１に取り付けられている。反射板１８は、フロントパネル５０が閉じた状態で、化粧枠２１の表面部に位置するように配置され、透明もしくは半透明に形成された光表示部９から透けて見えるようになっている。また、光表示部９の内側の裏面には、発光部１２０から発光した光を光表示部９の全体にわたって拡散または反射させる機能を有する溝１９（以下、反射溝１９という）が刻んであり、この反射溝１９により反射板１８で反射した光を前記光表示部９で発光させるようになっている。このような拡散／反射機能を有する溝１９を設けることによって、光を大きな表示部でムラ無く表示することができる。もちろん、発光される光の強度を小さくしていけば、発光体付近で光が表示されるようになる。なお、反射板１８は、図３で示す反射板収納ケース４１と同じ材料で形成してもよいが、このような場合、光を反射させる機能を有するように、反射板１８の色調を決める必要がある。また、反射板１８は必ずしも設ける必要はなく、反射板収納ケース４１の背面壁を、光を反射させる機能を有するような色調とすることによっても、上述した実施の形態と同様の効果を得ることができる。
【００４４】
次に、図８から図１０を参照して、基板ケース１１の内部構造と、基板ケース１１の内部に設けられた発光体から発せられた光の表示について説明する。図８および図９において、基板ケース１１の内部には、空気調和機の運転状態（運転モード）を表示するための光を発光する発光部１２０が設けられている。この発光部１２０は、光表示部９で発光される光の発光状態を制御する制御部２２と、光表示部９で発光させる光を発生する発光体（ＬＥＤ）１２、１３、１４と、ランプレンズ７、８で発光させる光を発生する発光体（ＬＥＤ）１５、１６と、これらの発光体１２、１３、１４、１５、１６および制御部２２が接続される基板１７と、これらを覆うカバー１１０とから構成されている。発光体１２、１３、１４は、それぞれ発光色が異なっており、発光体１２、１３、１４の光軸が、光表示部９と略平行となるような位置に基板１７に取り付けられている。また、発光体１５、１６は、ランプレンズ７、８に向けて光を発光するように基板１７に取り付けられている。
【００４５】
図９において、基板ケース１１は、発光体１２、１３、１４から発光した光を光表示部９に導くための穴６３、６４、６５と、発光体１５、１６で発光した光をランプレンズ７、８に導く穴６６、６７とを備えており、化粧枠２１の前面に形成された基板ケース取付部５（図３参照）に取り付けられている。基板ケース１１の内部に設けられた発光体１２、１３、１４、１５、１６および基板１７、制御部２２は、透明な材料で形成されたカバー１１０で覆われており、発光体１２、１３、１４および発光体１５、１６から発光した光は、カバー１００を透過した後で、それぞれ穴６３、６４、６５および穴６６、６７に導かれ、光表示部９およびランプレンズ７、８でそれぞれ光が発光するようになっている。このような構成とすることにより、カバー１１０で発光部１２０を密閉構造とすることができるので、防水効果を向上させ、水分等に起因する表示部１０の故障を防止することができる。また、カバー１１０を透明な材料で形成しているので、発光体１２、１３、１４および発光体１５、１６で発光した光が減衰するのを軽減することができる。
【００４６】
図１０において、表示パネル４は、透明または半透明な材料で形成された器体４０と、この器体４０とは異なる材料で形成されたパネル背面板７５とを備え、パネル背面板７５を器体４０の背面に取り付けることにより、表示パネル４が形成されている。反射板収納ケース４１の内部に設けられた反射板１８は、発光体１２、１３、１４で発光する光を、光表示部９で表示するために、光表示部９の下端から上端に向かって、反射板１８と光表示部９との間隔を狭くするように形成され、好ましくは円弧形状で形成されている。そして、反射板１８は、発光体１２、１３、１４で発光した光を反射溝１９に向けて反射させ、光表示部９で光を表示するようになっている。また、発光体１５、１６から発光された光は、パネル背面板７５に形成された穴６１、６２を通って、透明もしくは半透明に形成されたランプレンズ７、８で表示するようになっている。ここで、穴６１、６２に透明な器体４０の材料を延長して突出させることで、発光体１５、１６から発光される光の導光部としてもよい。
【００４７】
このような構成からなる表示部１０は、図示しないリモコン等により、空気調和機の運転モードが指示されると、この運転モードを図１に示す受信部３００で受信し、受信した運転モード信号を図１に示す配線４００を介して制御部２２に送信される。運転モード信号を受信した制御部２２は、指示された運転モード信号に基づいて、発光体１２、１３、１４の発光状態を制御し、指示された運転モードに対応する発光色を有する発光体１２、１３、１４の何れかを発光させる。そして、発光した光を、反射板１８により反射し、反射した光を光表示部９に刻まれた反射溝１９を介して光表示部９に、空気調和機の運転状態（運転モード）に対応した色を光表示部９で発光するようにしている。
【００４８】
本実施の形態では光の発光状態を、冷房運転の時には青色、暖房運転の時には赤色、除湿運転の時には緑色の光を、前記発光体１２、１３、１４の何れかでで発光し、光表示部９に表示するようにしている。このように、空気調和機の各運転状態（運転モード）をイメージするような色を有する光によって表示されるので、視覚的に運転状態（運転モード）を容易に把握できる効果がある。
【００４９】
以上のような構成により、本実施の形態では、光表示部９に空気調和機の運転状態（運転モード）に対応した色を、光表示部９全体に発光することができるので、空気調和機の運転状態（運転モード）を使用者が容易に確認することができるとともに、光表示部９全体を明るく表示することができる。なお、本実施の形態では、光表示部９で表示される光を、それぞれ異なる色を発光する３つの発光体１２、１３、１４により発光しているが、３個のＬＥＤをまとめて１個の電球のような封止体で覆った、３色ＬＥＤのような発光体により、光表示部９で表示される光を発光させるようにしても良い。なお、封止体は、ガラス等の透明な材料で形成されている。
【００５０】
次に、図１１から図１３を参照して、表示パネル４の他の実施の形態について説明する。
【００５１】
図１１において、この実施の形態では、上述した実施の形態と同様、表示パネル４は、透明または半透明な材料で形成された器体４０と、この器体４０とは異なる材料で形成されたパネル背面板７５とを備え、パネル背面板７５を器体４０の背面に取り付けることにより、表示パネル４が形成されている。この表示パネル４は、右フロントパネル２に形成されたパネル基台２８に着脱可能に取り付けられる。パネル基台２８は、その背面部に形成されたケース４１ａを備え、このケース４１ａは、基板ケース１１の内部に設けられた発光部１２０から発光された光を、表示パネル４の内部の裏面に形成された光表示部９で表示するために、光表示部９の下端から上端に向かって、光表示部９との間隔を狭くするように形成され、好ましくは円弧形状で形成されている。また、ケース４１ａの内部背面壁４１０は、反射機能を有するように色調が調節されている。そして、表示パネル４に形成された光表示部９の内側の裏面には、基板ケース１１の内部に設けられた発光部１２０から発光された光を光表示部９の全体にわたって拡散させる機能を有する拡散シート２５が配置されている。なお、基板ケース１１の内部構成については、上述した実施の形態と同様であるため、詳細な説明は省略する。
【００５２】
このような構成からなる表示部１０は、図示しないリモコン等により指示された運転モード信号を、図１で示す受信部３００で受信し、受信した信号が図１で示す配線４００を介して制御部２２に送信される。信号を受信した制御部２２は、発光体１２、１３、１４から指示された運転モードに対応する色の光を発光する発光体を選択するとともに、光の発光状態を制御し、穴４７からケース４１ａの内部に向けて光を照射する。ケース４１ａの内部に照射された光は、ケース４１ａの内部背面壁４１０で反射して拡散シート２５に照射され、拡散シート２５で拡散させることにより、光表示部９で表示するようにしている。この構成においても、前記した実施の形態と同様の効果を得ることができる。なお、本実施の形態では、ケース４１ａの内部背面壁４１０で光を反射させているが、内部背面壁４１０に反射板を配置し、この反射板で光を反射させるようにしてもよい。
【００５３】
図１２において、この実施の形態では、表示パネル４に形成された光表示部９の内側の裏面に形成されたクリア層２６を、化粧枠２１側に大きく張り出させ、基板ケース５（図３参照）に設けられた反射板１８と光表示部９の内側の裏面に形成された反射溝１９とを密着させた状態を示している。表示パネル４は、透明または半透明な材料で形成された器体４０と、この器体４０とは異なる材料で形成されたパネル背面板７５とを備え、パネル背面板７５を器体４０の背面に取り付けることにより、表示パネル４が形成されている。そして表示パネル４は、基板ケース１１の内部に設けられた発光部１２０から発光された光を、表示パネル４の内部の裏面に形成された光表示部９で表示するようになっている。なお、基板ケース１１の内部構成については、上述した実施の形態と同様であるため、詳細な説明は省略する。
【００５４】
このような構成からなる表示部１０は、図示しないリモコン等により指示された運転モード信号を、図１で示す受信部３００で受信し、受信した信号が図１で示す配線４００を介して制御部２２に送信される。信号を受信した制御部２２は、発光体１２、１３、１４から指示された運転モードに対応する色の光を発光する発光体を選択するとともに、光の発光状態を制御し、反射溝１９に向けて光を照射され、反射溝１９で反射した光を直接、光表示部９で表示するようにしている。このような構成とすることにより、発光体１２、１３、１４から発光された光をクリア層２６にエッジライトとして直接送り込むことが可能となる。なお、本実施の形態では、発光体１２、１３、１４の光軸が、反射溝１９側に向けて設定されており、光軸の角度は、表示パネル４の長さや化粧枠２１側に張り出したクリア層２６の厚さ等によって、最適な角度で設定するようにしている。また、本実施の形態では、反射溝１９で光を反射させているが、反射板１８で反射させるようにしてもよい。さらに、本実施の形態では、基板ケース取付部５（図３参照）に反射板１８を設けているが、反射板１８変わって、基板ケース取付部５（図３参照）の表面が反射機能を有するように色調を調整するようにしてもよい。
【００５５】
図１３において、この実施の形態では、表示パネル４に形成された光表示部９の内側の裏面に形成されたクリア層２６を化粧枠２１側に張り出させ、基板ケース５（図３参照）に設けられた反射板１８と光表示部９の内側の裏面に形成された反射溝１９との間に導光板２７を設けた状態を示している。表示パネル４は、透明または半透明な材料で形成された器体４０と、この器体４０とは異なる材料で形成されたパネル背面板７５とを備え、パネル背面板７５を器体４０の背面に取り付けることにより、表示パネル４が形成されている。そして表示パネル４は、基板ケース１１の内部に設けられた発光部１２０から発光された光を、導光板２７を介して表示パネル４の内部の裏面に形成された光表示部９で表示するようになっている。なお、基板ケース１１の内部構成については、上述した実施の形態と同様であるため、詳細な説明は省略する。
【００５６】
このような構成からなる表示部１０は、図示しないリモコン等により指示された運転モード信号を、図１で示す受信部３００で受信し、受信した信号が図１で示す配線４００を介して制御部２２に送信される。信号を受信した制御部２２は、発光体１２、１３、１４から指示された運転モードに対応する色の光を発光する発光体を選択するとともに、光の発光状態を制御し、導光板２７に向けて照射される。導光板２７に向けて照射された光は、反射板１８や反射溝１９により反射して、光表示部９で表示されるようになっている。この構成においても、前記した実施の形態と同様の効果を得ることができる。
【００５７】
また、図１１から図１３により説明した実施の形態では、光表示部９で表示される光を、それぞれ異なる色を発光する３つの発光体１２、１３、１４により発光しているが、３個のＬＥＤをまとめて１個の電球のような封止体で覆った、３色ＬＥＤのような発光体により、光表示部９で表示される光を発光させるようにしても良い。なお、封止体は、ガラス等の透明な材料で形成されている。
【００５８】
次に、図１４および図１５を用いて、光表示部９で表示される光の表示状態について説明する。図１４は、光表示部９で表示される光の発光状態を示す図、図１５は光表示部９で表示される光を制御する制御部の回路図である。
【００５９】
図１４において、図１４（ａ）は、光表示部９の全体で光が発光している状態、図１４（ｂ）、（ｃ）は、空気調和機の運転状態を段階的に選択し、これに対応して、光表示部９に光が段階的に表示されている状態、図１４（ｄ）は、空気調和機の運転状態を連続的に調整し、調整された状態に対応して、光表示部９に光が表示されている状態、図１４（ｅ）は、光表示部９の全体が消灯している状態を示している。本実施の形態では、図示しないリモコン等により空気調和機の運転状態（運転モード）が指示されると、制御部２２（図７参照）は、発光体１２、１３、１４の何れかを選択すると共に、光表示部９で表示する光の強弱を段階的に制御する。そして、指示された運転状態（運転モード）に対応した色の光、およびこの光を段階的に制御することで、図１４（ａ）〜図１４（ｃ）で示すように、運転状態（運転モード）および運転状態（運転モード）の強弱を、光表示部９で表示するようにしている。本実施の形態では、例えば、光表示部９で表示される光が図１４（ａ）のように表示されると空気調和機がフルパワー運転を行っている状態、図１４（ｂ）のように表示されると空気調和機が通常運転を行っている状態、図１４（ｃ）のように表示されると空気調和機が省エネ運転を行っている状態を示すようになっている。また、本実施の形態では、図１４（ｄ）で示すように、連続的に調節された空気調和機の運転状態（運転モード）に対応して、光表示部９で表示する光を連続的に制御することによっても、その強弱を表示することもできるようになっている。例えば、室内の環境に合わせて、空気調和機が運転状態の強弱を自動的に制御しながら運転を行うような時に、この自動制御に対応して、光表示部９で表示される光を制御部２２により連続的に制御することで、空気調和機の運転状態（運転モード）を表示するようにしてもよい。
【００６０】
そして、本実施の形態では、空気調和機本体の運転状態（運転モード）をイメージ的に表示するような色を有する光を、発光体１２、１３、１４で発光し、光表示部９で表示するようにしている。例えば、本実施の形態では、冷房運転を、４３０ｎｍから４９０ｎｍの波長を有する青色の光、暖房運転を、６４０ｎｍから７７０ｎｍの波長を有する赤色の光、除湿運転を、４９０ｎｍ〜５５０ｎｍの波長を有する緑色の光という具合に表示されるようになっている。これにより、空気調和機の運転状態（運転モード）がイメージ的に表示されるので、運転状態（運転モード）の認識を容易に行うことが可能となる。
【００６１】
次に、図１５を参照して、光表示部９に表示される光を段階的あるいは連続的に変化させる回路構成について説明する。図１５で示すように、本実施の形態に係る回路構成は、光表示部９に表示される光を発光するＬＥＤ等の発光体１２、１３、１４と、この発光体１２、１３、１４から発光する光を段階的あるいは連続的に調節する可変抵抗２４と、この可変抵抗２４を制御するマイコン２３とから構成され、前記可変抵抗２４と前記マイコン２３により、発光体１２、１３、１４で発光される光を段階的あるいは連続的に調節されるようになっている。以上のような構成からなる表示部１０を有する空気調和機では、図示しないリモコン等により、運転モードや風量、風速、室温等を指示することにより、空気調和機は指示された運転状態（運転モード）で運転を開始すると共に、指示された運転状態（運転モード）を表示部１０に表示するようになっている。具体的に、表示部１０は、図示しないリモコン等により指示された運転状態（運転モード）に基づき、マイコン２３および可変抵抗２４は、図１５で示す回路に流れる電流を調節し、発光体１２、１３、１４から発光される光の強度を制御することで、空気調和機の運転状態に対応した色の光が、光表示部９の下方から上方に向かって段階的あるいは連続的に表示されるようになっている。そして、本実施の形態では、図１４で示すように、光表示部９で表示される光が、発光体１２、１３、１４に近い方では明るく、発光体１２、１３、１４から遠ざかるにつれて暗くなる、いわゆるグラデーション表示となるようになっており、発光体１２、１３、１４から発光される光の強度によって、グラデーション効果が表現されるように制御されている。
【００６２】
また、本実施の形態では、光表示部９で表示される光を、それぞれ異なる色を発光する３つの発光体１２、１３、１４により発光しているが、これに限定されるものではない。例えば、前述したような３色ＬＥＤを用いるようにしても良い。この３色ＬＥＤを用いた場合も、各ＬＥＤの端子をマイコン２３で選択することにより任意の発光状態で表示することができる。具体的には、図示しないリモコン等により指示された運転状態（運転モード）に基づき、マイコン２３および可変抵抗２４は、運転状態（運転モード）に対応した色を有する光を発光するＬＥＤの端子を選択するとともに、図１２で示す回路に流れる電流を調節し、３色ＬＥＤから発光される光を制御することで、空気調和機の運転状態（運転モード）に対応した色の光を、光表示部９で表示するようにしても良い。
【００６３】
次に、図１６を参照して、空気調和機の運転状態（運転モード）と光表示部９に表示される光の色と関係について説明する。図１６で示すように、本実施の形態に係る空気調和機本体は、６４０ｎｍから７７０ｎｍの波長を有する赤色の光、４３０ｎから４９０ｎｍの波長を有する青色の光、４９０ｎｍから５００ｎｍの波長を有する緑色の光をそれぞれ発光する３つの発光体を備えている。そして、この３つの発光体が発光する光を単独あるいは混色させるにより、７色の光を表現することができる。本実施の形態に係る空気調和機では、光表示部９で表示する光の色を、図１６で示すように、単色の光である、６４０ｎｍから７７０ｎｍの波長を有する赤色の光、４３０ｎｍから４９０ｎｍの波長を有する青色の光、４９０ｎｍから５００ｎｍの波長を有する緑色の光と、青と緑の混色からなり、４３０ｎｍから５５０ｎｍの波長を有する水色の光の合計４色を使用して空気調和機の運転状態（運転モード）を表示することを基本としている。なお、水色の光は、４３０ｎｍから５５０ｎｍの波長を有しているが、本実施の形態では、水色の光を、例えば、４９０ｎｍ近辺の波長を有するように制御している。図１６で示すように、本実施の形態では、空気調和機の運転状態（運転モード）を表示するために使用する４色の光を、例えば、６４０ｎｍから７７０ｎｍの波長を有する赤色の光は空気調和機の暖房運転モード、４３０ｎｍから４９０ｎｍの波長を有する青色の光は空気調和機の冷房運転モード、４９０ｎｍから５００ｎｍの波長を有する緑色の光は空気調和機の除湿運転モード、４３０ｎｍから５５０ｎｍの波長を有する水色の光は空気調和機の涼・快運転モードを表現するようにそれぞれの光の色を割り振っている。ここで、水色の光で表現される「涼・快運転モード」は、冷房機能と除湿機能とを組み合わせることにより、空気調和機が設置される室内を快適な状態にする運転モードである。
【００６４】
また、本実施の形態では、上述した４色の光で表現される機能を有する空気調和機に付加機能、例えば、空気清浄機能や乾燥機能等を付加することも可能である。このような付加機能を追加した場合、図１６で示すように、上述した４色の光の他に、赤と緑の混色からなり、５５０ｎｍから５９０ｎｍの波長を有する黄色の光、赤と青の混色からなり、３８０ｎｍから４３０ｎｍの波長を有する紫色の光、赤、青、緑の混色からなる白色の光を追加し、合計７色の光で空気調和機の運転状態（運転モード）を表示するようにしている。本実施の形態では、例えば、５５０ｎｍから５９０ｎｍの波長を有する黄色が室内空気の汚れ具合を表示、３８０ｎｍから４３０ｎｍの波長を有する紫色の光を空気調和機が乾燥運転をおこなっている状態、白色の光が空気調和機の空気清浄機能を表示するようにしている。ここで、紫色の光で表示される空気調和機の乾燥運転は、前記空気調和機本体の内部に配置された熱交換器の乾燥運転を行うものであり、この乾燥運転により、カビ等の発生を防止することができる。
【００６５】
なお、本実施の形態では、単色の光を発光する３つの発光体および発光される光の混色により、暖房運転モード、冷房運転モード、除湿運転モードおよびその他の付加機能をそれぞれ表示するようにしているが、３つの発光体のうち、２つの発光体を使うことによっても、空気調和機の運転状態（運転モード）を表現することができる。例えば、赤色の光を発する発光体と青色の光を発光する発光体とを使用すると、赤、青、紫の３色を発光することができるので、発光した３色の光を暖房運転モード、冷房運転モード、除湿運転モードに割り振り、それぞれの運転状態（運転モード）表示することができる。
【００６６】
また、本実施の形態では、単色の光を発光する３つの発光体を用いることを基本としているが、前述したような３色ＬＥＤを用いるようにしてもよい。例えば、３色ＬＥＤを用いた場合、リモコン等により指示された空気調和機の運転状態（運転モード）に基づき、マイコン２３および可変抵抗２４により光の波長を制御することで、空気調和機の運転状態（運転モード）に対応した色の光を３色ＬＥＤから発光するようにしている。
【００６７】
以上のように、本実施の形態では、光表示部９で表示される光の発光状態を制御することができるので、空気調和機の運転状態（運転モード）の強弱、例えば、強冷房運転の状態と弱冷房運転の状態とを、光の強弱により表現することができ、空気調和機本体の運転状態の視認性を向上させることができる。また、発光状態を制御することにより、例えば、夜間消灯時には発光を弱くすることができ、まぶしさを軽減することができる。さらに、本実施の形態では、発光体１２、１３、１４が発光する光の混色により、多彩な光を発光することができるので、例えば、空気調和機本体に付加機能が設けられた場合でも、この付加機能による空気調和機の運転状態（運転モード）を光表示部９で表現することができる。
【００６８】
次に、図１７および図１８を参照して、本発明に係る空気調和機の第２の実施の形態について説明する。図１７は空気調和機本体の前面に設けたフロントパネルを開いた状態の斜視図、図１８は表示部１０の横断面図である。
【００６９】
図１７において、本実施の形態に係る空気調和機本体１００ａは、表示パネル４とこの表示パネル４が取り付けられるパネル基台２８とを化粧枠２１の前面に残した状態、すなわち、表示部１０を化粧枠２１の前面に残して、左フロントパネル１および右フロントパネル２とを観音開きの状態で開閉するように構成されている。なお、本実施の形態では、表示部１０を残して左フロントパネル１および右フロントパネル２とを、観音開きの状態で開閉させる構成以外は、上述した第１の実施の形態と同一であるため、詳細な説明を省略する。
【００７０】
次に、図１８を参照して、表示部１０の構成について説明する。図１８において、表示部１０は、空気調和機の運転状態を表示する表示パネル４と、表示パネル４の背面に形成され内部に反射板１８を有する反射板収納ケース４１と、反射板収納ケースの下方に配置される発光部とから構成されている。表示パネル４は、透明または半透明な材料で形成された器体４０と、この器体４０とは異なる材料で形成されたパネル背面板７５とを備え、パネル背面板７５を器体４０の背面に取り付けることにより、表示パネル４が形成されている。反射板収納ケース４１の内部に設けられた反射板１８は、発光部１２０から発光した光を、光表示部９で表示するために、光表示部９の下端から上端に向かって、反射板１８と光表示部９との間隔を狭くするように形成され、好ましくは円弧形状で形成されている。また、発光部１２０は、ランプレンズ７、８で発光させる光も発光する。この光は、表示パネル４に形成された穴６１、６２を通過することにより、ランプレンズ７、８に伝達され、表示されるようになっている。発光部１２０は、光表示部９へ表示する光を発光する発光体１２、１３、１４と、ランプレンズ７、８で表示する光を発光する発光体１５、１６と、これらの発光体の発光状態を制御する制御部２２と、発光体１２、１３、１４、１５、１６および制御部２２とを接続する基板１７とを備え、これらが透明もしくは半透明な材料で形成されたカバー１１０により覆われている。
【００７１】
このような構成からなる表示部では、図示しないリモコン等により運転モードが指示されると、指示された運転モードに対応し、制御部２２により発光体１２、１３、１４の何れか１つ、あるいはこれらの混色による色の光を発光し、カバー１１０を通過した後、反射板収納ケース４１に伝達される。反射板収納ケース４１に伝達された光は、反射板１８および反射溝１９により反射、拡散され、光表示部９で光が表示されるようになっている。
【００７２】
以上のような構成とすることによっても、上述した第１の実施の形態と同様な効果を得ることができる。また、本実施の形態においても、発光体１２、１３、１４に変わって、３色ＬＥＤ等の発光体を用いるようにしてもよい。さらに、本実施の形態では反射板１８を設けているが、反射板１８を必ずしも設ける必要はなく、反射板収納ケース４１の背面壁を、光を反射させる機能を有する色調に調節するようにしても良い。
【００７３】
なお、本実施の形態における、光表示部９での表示状態は、上述した第１の実施の形態と同一のため、詳細な説明を省略する。
【００７４】
次に、図１９から図２４を参照して、本発明に係る空気調和機の他の実施の形態について説明する。図１９および図２０は表示部１０の他の実施の形態を示す図、図２１は電気品の配置形態を示す図、図２２および図２３は表示パネル４の配置形態を示す図である。
【００７５】
図１９において、本実施の形態では、空気調和機本体１００を運転させるための種々の電気品が収納された電気品ボックス５２と、空気調和機本体１００から吸い込んだ空気の熱交換を行う熱交換器と、熱交換器により熱交換された空気を室内に送風するため送風ファンとこの送風ファンを駆動するファンモータ５３とを内部に備えている。そして、電気品ボックス５２は、内部に光源５１を備え、この光源５１と発光ケース１１ａとを、光ファイバー等の導光管５４で接続している。なお、図１９で示す表示部１０の構成以外は、第１の実施の形態で説明した空気調和機の構成と同一であるため、詳細な説明は省略する。
【００７６】
次に、図２０を参照して、発光ケース１１ａの内部構造を説明する。図２０において、発光ケース１１ａは、光源５１から発光された光を、光表示部９に導くための穴６３０と、光源５１から発光された光を、ランプレンズ７、８に導くための穴６５０、６６０とを備えている。また、発光ケース１１ａの内部には、導光管５４の一部分が配置され、この導光管５４の一部分が、透明な材料で形成されたカバー１１０により覆われている。導光管５４は、穴６３０に光を導く第１の導光管５４ａと、穴６５０に光を導く第２の導光管５４ｂと、穴６６０に光を導く第３の導光管５４ｃとから構成されている。
【００７７】
このような構成からなる空気調和機では、図示しないリモコン等により運転状態（運転モード）が指示されると、光源５１から運転状態（運転モード）に対応した色を有する光が発光される。発光した光は、電気品ボックス５２の内部に設けられた制御部２２により、運転状態（運転モード）の強弱、例えば、風速や風量の強弱に対応して、光表示部９で表示される光が段階的に制御される。そして、この光が光ファイバ等の導光管５４により発光ケース１１ａに伝達され、発光ケース１１ａおよび反射板収納ケース４１の底面に形成された穴４７を通過し、反射板１８および反射溝１９で反射して光表示部９で表示される。
【００７８】
以上のように、本実施の形態では、光源５１を電気品ボックス５２の内部に設けているので、洗浄剤等の使用による熱交換器の洗浄時に、光源５１が配置される基板に影響を与えることがない。また、導光管５４を使用しているので、配線を減らすことができ、空気調和機本体の組立性を向上させることができる。また、本実施の形態においても、光源５１として、前述した第１の実施の形態と同様、単色の光を発光する３つの発光体１２、１３、１４あるいは３色ＬＥＤ等を用いることができる。
【００７９】
図２１において、本実施の形態では、空気調和機本体１００を運転させるための種々の電気品が収納された電気品ボックス５２と、空気調和機本体１００から吸い込んだ空気の熱交換を行う熱交換器と、熱交換器により熱交換された空気を室内に送風するため送風ファン５７とこの送風ファン５７を駆動するファンモータ５３とを内部に備えている。そして、電気品ボックス５２は、内部に光源５１を備え、この光源５１と発光ケース１１ｂとを、管８０により接続されている。なお、図２１で示す表示部１０の構成以外は、上述した空気調和機の構成と同一であるため、詳細な説明は省略する。
【００８０】
このような構成からなる空気調和機では、図示しないリモコン等により運転状態（運転モード）が指示されると、光源５１から運転状態（運転モード）に対応した色を有する光が発光される。この発光された光は、電気品ボックス５２の内部に設けられた制御部２２により、運転状態（運転モード）の強弱、例えば、風速や風量の強弱に対応して制御され、その結果、光表示部９で表示される光が段階的に制御される。そして、この光が鏡もしくはプリズム等の光路変換手段５５によって管８０に導かれ、その後、鏡もしくはプリズム等の光路変換手段５６により発光ケース１１ｂに伝達され、発光ケース１１ｂおよび反射板収納ケース４１の底面に形成された穴４７を通過し、反射板１８および反射溝１９で反射して光表示部９で表示される。このような構成とすることによっても、上述した第２の実施の形態と同様の効果を得ることができる。
【００８１】
図２２において、図２２（ａ）、（ｂ）は本発明に係る空気調和機が有するフロントパネル５０の分割形態を示している。上述した実施の形態では、図２２（ａ）で示すように、フロントパネル５０が、中央で左右均等に分割された左フロントパネル２と右フロントパネル１とで構成されることを基本としているが、これに限定されるものではない。例えば、図２２（ｂ）で示すように、フロントパネル５０が、左右不均等に分割された左フロントパネル２と右フロントパネル１とで構成されるようにしてもよい。また、フロントパネル５０は必ずしも左右に分割される必要はなく、図２２（ｃ）で示すように、上述した構成からなる表示部１０を、フロントパネル５０の長手方向に沿って設けるようにしてもよい。
【００８２】
図２３において、上述した本発明に係る空気調和機は、図２３（ａ）で示すように、フロントパネル５０の分割線を、前面吸込部１ｃ、２ｃより上方にある部分を残し、この分割線の下端から中間の一部分を隠すように表示パネル４が取り付けられることを基本としているが、これに限定されるものではない。例えば、図２３（ｂ）で示すように、フロントパネル５０の分割線の上端と下端とを残し、この分割線の中間の一部分を隠すように表示パネル４を取り付けるようにしてもよい。また、図２３（ｃ）で示すように、フロントパネル５０の分割線を全て隠すように表示パネル４を取り付けるようにしてもよい。以上のような構成とすることにより、前面吸込部１ｃ、２ｃの合わせ目にある分割線を隠すことができるので、フロントパネル５０の長手方向に沿って形成されている前面吸込部１ｃ、２ｃの合わせ目で生じるズレを目立たなくすることができる。また、図２４は、フロントパネル５０を、図２２（ｂ）で示すように分割し、その分割部分に表示部１０を配置した構成を示している。このような構成においても、前面吸込部１ｃ、２ｃの合わせ目にある分割線を隠すことができるので、フロントパネル５０の長手方向に沿って形成されている前面吸込部１ｃ、２ｃの合わせ目で生じるズレを目立たなくすることができる。
【００８３】
【発明の効果】
以上のように、本発明によれば、空気調和機の運転状態（運転モード）を、それぞれの運転状態（運転モード）に対応した色を有する光により表示しているので、空気調和機の運転状態（運転モード）をイメージ的に表示し、かつ視覚的に判断することができる空気調和機を提供することができる。また、本発明によれば、空気調和機の機能を様々な色の光によって表現しているので、室内との調和が図ることができ、かつやわらかいイメージを有する空気調和機を提供することができる。
【図面の簡単な説明】
【図１】本発明の実施例の空気調和機を示す斜視図である。
【図２】図１の空気調和機の左右のフロントパネルを部分的に開けた状態の斜視図である。
【図３】図１の空気調和機の左右のフロントパネルを開けた状態の斜視図である。
【図４】図３において表示パネルを取り付けた状態を示す図である。
【図５】表示パネルの１つの取り付け状態を示す詳細図である。
【図６】図１の空気調和機の表示パネル部の斜視図である。
【図７】図６の正面図である。
【図８】図６の正面断面図である。
【図９】化粧枠に取り付けられた基板ケースの横断面図である。
【図１０】表示部の横断面図である。
【図１１】表示パネルの他の形態を示す横断面図である。
【図１２】表示パネルの他の形態を示す横断面図である。
【図１３】表示パネルの他の形態を示す横断面図である。
【図１４】図１の空気調和機の表示パネルの光表示部の表示状態を示す図である。
【図１５】制御部の回路図である。
【図１６】発光色と運転モードの関係を示す図である。
【図１７】表示パネルをフロントパネルに取り付けて開扉状態を示す斜視図である。
【図１８】表示パネルの他の実施例を示す構成図である。
【図１９】光路構造を示す図である。
【図２０】表示部の他の実施の形態を示す構成図である。
【図２１】電気品の配置形態を示す図である。
【図２２】図１の空気調和機のフロントパネルの分割を示す図である。
【図２３】図１の空気調和機の表示パネルの構成を示す図である。
【図２４】図１の空気調和機の表示パネルの構成を示す図である。
【符号の説明】
１…左フロントパネル、２…右フロントパネル、３…境界部、４…表示パネル、７，８…ランプレンズ、９…光表示部、１０…表示部、１１…基板ケース、１２〜１６…発光体、１７…基板、１８…反射板、１９…反射溝、２０…シャーシ、２１…化粧枠、２２…制御部、２３…マイコン、２４…可変抵抗、２５…拡散シート、２８…パネル基台、４０…器体、４１…反射板収納ケース、５１…光源、１００…空気調和機本体。
【図１】
0003876962.tif 000002
【図２】
0003876962.tif 000003
【図３】
0003876962.tif 000004
【図４】
0003876962.tif 000005
【図５】
0003876962.tif 000006
【図６】
0003876962.tif 000007
【図７】
0003876962.tif 000008
【図８】
0003876962.tif 000009
【図９】
0003876962.tif 000010
【図１０】
0003876962.tif 000011
【図１１】
0003876962.tif 000012
【図１２】
0003876962.tif 000013
【図１３】
0003876962.tif 000014
【図１４】
0003876962.tif 000015
【図１５】
0003876962.tif 000016
【図１６】
0003876962.tif 000017
【図１７】
0003876962.tif 000018
【図１８】
0003876962.tif 000019
【図１９】
0003876962.tif 000020
【図２０】
0003876962.tif 000021
【図２１】
0003876962.tif 000022
【図２２】
0003876962.tif 000023
【図２３】
0003876962.tif 000024
【図２４】
0003876962.tif 000025